(57)【要約】【課題】  およそ８〜１２μｍの波長域の中赤外線を人体の活性化に役立てることができ、しかも、金属アレルギーによる皮膚炎などの症状の現れるおそれのない装身具を提供する。【解決手段】  ブラックシリカ粉体と無機ゲルマニウム粉体とバインダー樹脂とを混合して硬化してなる中赤外線放射物質３で、チタン製の装身具本体としてのリング体１に具備された貫通孔部２を埋める。バインダー樹脂には、エポキシ樹脂と硬化剤と添加物の混合物を用いることができる。リング体１の全体を第１、第２及び第３の領域Ｚ１，Ｚ２，Ｚ３に分け、貫通孔部２を第１及び第２の２つの領域Ｚ１，Ｚ２だけに設ける。【選択図】        図１
0003107789.tif 000002
【実用新案登録請求の範囲】
【請求項１】
中赤外線放射物質でチタン製の装身具本体に具備された貫通孔部を埋めてあることを特徴とする装身具。
【請求項２】
上記中赤外線放射物質が、ブラックシリカ粉体と無機ゲルマニウム粉体とバインダー樹脂とを含み、バインダー樹脂が、エポキシ樹脂及び硬化剤と添加剤とを含む請求項１に記載した装身具。
【請求項３】
上記装身具本体が周方向の１箇所で欠除されて弾性的に拡縮変形可能な欠円形状の指輪用リング体でなり、そのリング体の全体を、欠円箇所を挟む両側に位置する第１及び第２の２つの領域とそれら２つの領域に挟まれた第３の領域とに略等幅に区画し、上記第１及び第２の２つの領域に、上記中赤外線放射物質で埋められた複数の貫通孔部が対称な関係で備わっている請求項１又は請求項２に記載した装身具。
【考案の詳細な説明】
【技術分野】
【０００１】
本考案は、指輪やブレスレットなどの装身具、特に、人体の活性化に役立つとされている中赤外線を放射する作用を発揮する装身具に関する。
【背景技術】
【０００２】
近時、赤外線の波長域の中で人体の活性化に良好な働きかけを行う波長域が存在し、その波長域は、およそ８〜１２μｍであると云われている。そこで、およそ８〜１２μｍの波長域の赤外線、すなわち中赤外線を放射する物質（中赤外線放射物質）を自然界から抽出し、そのような中赤外線放射物質で装身具としての指輪を作るということが行われている。
【考案の開示】
【考案が解決しようとする課題】
【０００３】
このような背景の下で、本考案は、中赤外線を人体の活性化に役立てることを基本としてなされたものであり、身体に装用した場合に、中赤外線放射による人体の活性化作用を発揮するだけでなく、皮膚に直接に接触させても金属アレルギーによる皮膚炎などの症状が現れるおそれのない装身具を提供することを目的とする。
【０００４】
また、本考案は、人体に装用した場合にその体温や気温によって中赤外線の放射が促進される装身具を提供することを目的とする。
さらに、本考案は、耐久性に優れた指輪としての装身具を提供することを目的とする。  
【課題を解決するための手段】
【０００５】
本考案に係る装身具は、中赤外線放射物質でチタン製の装身具本体に具備された貫通孔部を埋めてあることを特徴としている。
【０００６】
この装身具では、中赤外線放射物質から放射された中赤外線が人体に当たることにより人体が活性化され、たとえば不眠症や高血圧などの症状を改善する作用が得られる。また、装身具全体を中赤外線放射物質によって構成したものではなく、装身具本体の貫通孔部を中赤外線放射物質で埋めてあるだけであるので、中赤外線放射物質の必要量が少なくて済み、しかも、装身具本体を、金属アレルギーによる皮膚炎などの症状を引き起こすおそれのないチタン製としたので、皮膚に接触させて当該装身具を装用しても皮膚炎などの症状が現れるおそれがない。
【０００７】
本考案では、上記中赤外線放射物質が、ブラックシリカ粉体と無機ゲルマニウム粉体とバインダー樹脂とを含み、バインダー樹脂が、エポキシ樹脂及び硬化剤と添加剤とを含む、という構成を採用することが可能である。この構成を採用すると、その中赤外線放射物質を装身具本体の貫通孔部に装填するだけでその中赤外線放射物質が装身具本体に強固に結合されるようになり、中赤外線放射物質が装身具本体から脱落しにくくなって装身具の耐久性が向上する。
【０００８】
本考案では、上記装身具本体が周方向の１箇所で欠除されて弾性的に拡縮変形可能な欠円形状の指輪用リング体でなり、そのリング体の全体を、欠円箇所を挟む両側に位置する第１及び第２の２つの領域とそれら２つの領域に挟まれた第３の領域とに略等幅に区画し、上記第１及び第２の２つの領域だけに、上記中赤外線放射物質で埋められた複数の貫通孔部が対称な関係で備わっている、という構成を採用することが可能である。この構成を採用すると、リング体に区画形成された第３の領域には中赤外線放射物質で埋められた貫通孔部が存在せず、しかも、リング体は、拡縮変形するときに第３の領域で主に撓み変形し、中赤外線放射物質で埋められた貫通孔部を備えている第１及び第２の領域では撓み変形しないか、あるいは、ほとんど撓み変形しないので、貫通孔部を埋めている中赤外線放射物質がその貫通孔部から脱落しにくくなる。すなわち、中赤外線放射物質で埋められた貫通孔部の形成されている領域でリング体が撓み変形を起こすと、中赤外線放射物質が貫通孔部の孔壁面から剥がれてしまって脱落を起こしやすいのであるけれども、上記のように構成しておくことによりそのような中赤外線放射物質の脱落が起こりにくくなる。さらに、この考案では、第１及び第２の２つの領域に中赤外線放射物質で埋められた複数の貫通孔部が対称な関係で備わっていることにより、リング体を指に嵌めた状態では、複数箇所の中赤外線放射物質から放射される中赤外線が指に備わっている経絡や経絡上のツボに働きかけて顕著な活性化作用を発揮するようになる。また、手の指の温度、すなわち人体の体温が中赤外線放射物質に効率よく伝わってその中赤外線放射物質からの中赤外線の放射量が多くなるので、このことが上記活性化作用をいっそう促進することに役立つ。
【考案の効果】
【０００９】
以上のように、本考案に係る装身具は、中赤外線を人体の活性化に役立て得るものである。また、装身具本体をチタン製としたので、身体に装用した場合に、皮膚に直接に接触していても金属アレルギーによる皮膚炎などの症状が現れるおそれがない。しかも、本考案に係る装身具は、人体に装用した場合にその体温や気温によって中赤外線放射物質からの中赤外線の放射が促進されるために、たとえば指輪のように身体に直接に接触するような装身具としても、皮膚炎などの炎症を伴うことなく、人体の活性化を促進することが可能である。さらに、装身具本体を指輪用リング体によって形成したものでは、中赤外線放射物質がリング体から脱落しにくくなってその耐久性が向上する。
【考案を実施するための最良の形態】
【００１０】
図１は本考案の装身具の実施形態である指輪Ａの横断平面図、図２は図１に示した指輪Ａを矢視ＩＩ方向から見た側面図である。この指輪Ａは、装身具本体としての指輪用リング体１を有している。このリング体１は、周方向の１箇所で欠除されて弾性的に拡縮変形可能に形成されており、その材質は純チタンである。リング体１は、その全体が、欠円箇所イを挟む両側に位置する第１及び第２の２つの領域Ｚ１，Ｚ２とそれら２つの領域Ｚ１，Ｚ２に挟まれた第３の領域Ｚ３とに略等幅に区画されていて、第１及び第２の２つの領域Ｚ１，Ｚ２だけに、３つずつの貫通孔部２…が対称の関係で備わっている。そして、これらの貫通孔部２…のそれぞれは中赤外線放射物質３によって埋められている。
【００１１】
中赤外線放射物質３は、鉱石であるブラックシリカ粉体及び無機ゲルマニウム粉体と、バインダー樹脂とを含み、バインダー樹脂にはエポキシ樹脂及び硬化剤と必要な添加剤とが含まれている。このブラックシリカ粉体と無機ゲルマニウム粉体との配合割合は重量比で７：３としてあり、また、ブラックシリカ粉体と無機ゲルマニウム粉体とを合わせた鉱石の配合割合は重量比でエポキシ樹脂６５％に対して３５％に定めてある。また、その鉱石１ｇに対してエポキシ樹脂に働く硬化剤を０．４３ｇ配合し、さらに、同鉱石１ｇに対して添加剤としての粘り成分を０．２５ｇ、同消泡剤を１滴に定めてある。エポキシ樹脂及び硬化剤とその添加物（上記のねばり成分と消泡剤）は市販品として入手可能であり、たとえば、エポキシ樹脂には大日本塗料社の商品名サンキャストＳＳ、硬化剤には大日本塗料社の商品名（品番）Ｓ２４８２、ねばり成分には大日本塗料社の商品名エアロジルベース、消泡剤には大日本塗料社の商品名（品番）Ｓ−１０を好適に用いることができる。
【００１２】
次に製造手順を説明する。平坦な帯状の純チタン素材を製作した後、その平坦な純チタン素材の所定箇所を打ち抜いて貫通孔部２を形成し、続いて純チタン素材を欠円箇所イを備えるリング状に曲げ加工して指輪用リング体１を形成する。次に、ブラックシリカ粉体と無機ゲルマニウム粉体とバインダー樹脂とを上記比率で混合して粘稠な中赤外線放射物質３とし、その粘稠な中赤外線放射物質３をリング体１の貫通孔部２に詰めてその貫通孔部２を埋める。その後、中赤外線放射物質３を所定時間加熱した後に硬化させる。この場合、たとえば８０℃程度で２時間程度加熱すると、貫通孔部２内で中赤外線放射物質３が仮硬化するので、その後、１３０℃程度で３０分間加熱することによりその中赤外線放射物質３が完全硬化する。この製作手順を採用すると、製作に要する時間やコストを削減することができるという利点がある。また、中赤外線放射物質３がリング体１の貫通孔部２の孔壁面に強固に接合することになり、中赤外線放射物質３がリング体１から脱落しにくくなって装身具Ａの耐久性が向上するという利点もある。
【００１３】
図１及び図２に示した構成、すなわち、欠円形状のリング体１の第１及び第２の２つの領域Ｚ１，Ｚ２だけに、中赤外線放射物質３で埋められた３つずつの貫通孔部２…が対称な関係で備わっているという構成であると、第３の領域Ｚ３に中赤外線放射物質で埋められた貫通孔部が存在せず、しかも、リング体１は、拡縮変形するときに第３の領域Ｚ３で主に撓み変形し、第１及び第２の領域Ｚ１，Ｚ２では撓み変形しないか、あるいは、ほとんど撓み変形しない。そのため、指の太い人が指輪Ａを手の指に装用するときに、リング体１が拡開変形した状態で指に装着されても、中赤外線放射物質３で埋められた貫通孔部２の形成されている第１及び第２の２つの領域Ｚ１，Ｚ２でリング体１が撓み変形を起こすことはないので、リング体１の撓み変形に起因する中赤外線放射物質３の脱落が起こらない。
【００１４】
次に、中赤外線放射物質３による中赤外線の放射の効果を説明する。リング体１を指に嵌めた状態では、複数箇所の中赤外線放射物質３から放射される中赤外線が指に備わっている経絡や経絡上のツボに働きかけて顕著な活性化作用を発揮する。また、手の指の温度、すなわち人体の体温が中赤外線放射物質３に効率よく伝わってその中赤外線放射物質からの中赤外線の放射量が多くなり、上記活性化作用がいっそう促進される。さらに、金属アレルギーによる皮膚炎などを発症しやすい人でも、リング体１が純チタン製であるのでそのような皮膚炎などを起こす心配がない。そのため、この装身具としての指輪Ａを手の指に装用しておくと、皮膚炎などを起こすことなく、およそ８〜１２μｍの波長域の中赤外線が指の末梢局所に当たって活性化させ、しかも、中赤外線の働きかけが指の経絡や経絡状に存在するツボに対して行われて、細胞の活性化、体液循環の促進などの効用が得られる。特に、この実施形態では、リング体１に具備させた凹所を中赤外線放射物質で埋めるのではなく、リング体１に具備させた貫通孔部２を中赤外線放射物質３で埋める構成を採用したので、指輪に用いられる薄いリング体１に対しても比較的多くの中赤外線放射物質３を保持させることが可能になって中赤外線の放射量を多く確保することができるようになるという利点がある。
【００１５】
本考案に係る装身具は、実施形態で説明した指輪Ａに限定されず、ブレスレットやその他の身体に装用するものとして活用することが可能である。
【図面の簡単な説明】
【００１６】
【図１】本考案の装身具の実施形態である指輪の横断平面図である。
【図２】図１の指輪を矢視ＩＩ方向から見た側面図である。
【符号の説明】
【００１７】
１  リング体（装身具本体）
２  貫通孔部
３  中赤外線放射物質
Ａ  指輪（装身具）
Ｚ１  第１の領域
Ｚ２  第２の領域
Ｚ３  第３の領域
【図１】
0003107789.tif 000003
【図２】
0003107789.tif 000004